(57)【要約】【課題】大容量の記憶部を必要とせず、ファクシミリ受信される画像データを所望の部数分、簡単に印刷することが可能なファクシミリ装置及びファクシミリ制御方法を提供すること。【解決手段】印刷部数設定部１７は、ユーザーの受信指示操作に応じて開始される手動ファクシミリ受信のときの印刷部数を、ユーザー入力に基づいて設定する。受信制御部１８は、前記受信指示操作に応じて前記手動ファクシミリ受信を開始して、相手装置から画像データを受信する。印刷制御部１９は、前記手動ファクシミリ受信に連動して、印刷部数設定部１７によって設定される印刷部数分、前記画像データを印刷する。【選択図】図２
2017108233.tif 000002
【特許請求の範囲】
【請求項１】
ユーザーの受信指示操作に応じて開始される手動ファクシミリ受信のときの印刷部数を、ユーザー入力に基づいて設定する印刷部数設定部と、
前記受信指示操作に応じて前記手動ファクシミリ受信を開始して、相手装置から画像データを受信する受信制御部と、
前記手動ファクシミリ受信に連動して、前記印刷部数設定部によって設定される印刷部数分、前記画像データを印刷する印刷制御部と、
を備えるファクシミリ装置。
【請求項２】
前記印刷部数設定部は、前記受信指示操作が行われるときに、ユーザー入力に基づいて前記印刷部数を設定する請求項１に記載のファクシミリ装置。
【請求項３】
前記相手装置との音声通話を行う音声通話部を更に備え、
前記受信制御部は、前記相手装置との音声通話中に行われる前記受信指示操作に応じて、当該相手装置からの前記手動ファクシミリ受信を開始する請求項１又は２に記載のファクシミリ装置。
【請求項４】
前記受信制御部は、前記受信指示操作に応じて前記相手装置に対して接続要求を行って、当該相手装置からの前記手動ファクシミリ受信を開始する請求項１〜３のいずれかに記載のファクシミリ装置。
【請求項５】
前記受信制御部は、前記手動ファクシミリ受信と、前記相手装置からの接続要求に応じて自動的に開始される自動ファクシミリ受信とを実行可能であり、
前記印刷部数設定部は、前記自動ファクシミリ受信時の印刷部数とは無関係に、前記手動ファクシミリ受信時の印刷部数を設定する請求項１〜４のいずれかに記載のファクシミリ装置。
【請求項６】
前記印刷部数設定部によって設定される印刷部数を相手装置毎に個別に記憶する印刷部数記憶部を更に備え、
前記印刷制御部は、前記相手装置からの前記手動ファクシミリ受信に連動して、前記印刷部数記憶部に記憶されている当該相手装置に対応する印刷部数分、前記画像データを印刷する請求項１〜５のいずれかに記載のファクシミリ装置。
【請求項７】
前記印刷制御部は、前記画像データが途中までしか受信されない場合は、前記印刷部数設定部によって２部以上の印刷部数が設定されている場合であっても当該画像データを１部だけ印刷する請求項１〜６のいずれかに記載のファクシミリ装置。
【請求項８】
ユーザーの受信指示操作に応じて開始される手動ファクシミリ受信のときの印刷部数を、ユーザー入力に基づいて設定する印刷部数設定ステップと、
前記受信指示操作に応じて前記手動ファクシミリ受信を開始して、相手装置から画像データを受信する受信制御ステップと、
前記手動ファクシミリ受信に連動して、前記印刷部数設定ステップで設定される印刷部数分、前記画像データを印刷する印刷制御ステップと、
を備えるファクシミリ制御方法。
【発明の詳細な説明】
【技術分野】
【０００１】
本発明は、ファクシミリ装置、及びその制御方法に関する。
【背景技術】
【０００２】
通常、ファクシミリ装置では、相手装置からファクシミリ受信した画像データは記憶部に一時的に記憶され、当該画像データに基づいて印刷処理が実行された後に削除される。したがって、前記画像データを印刷したシートが２部以上必要である場合には、ユーザーは、ファクシミリ装置の複写機能もしくは複写機を使用して、出力されたシートを複写する必要がある。このような作業はユーザーにとって面倒であり、また、印刷品質も低下する。
【０００３】
なお、ファクシミリ受信される画像データが自動的に印刷されることなく記憶部に蓄積され、その後、必要に応じてユーザーが当該画像データを削除したり印刷したりすることのできるファクシミリ装置も存在する（例えば、特許文献１参照）。
【先行技術文献】
【特許文献】
【０００４】
【特許文献１】特開２０１１−７１５７５号公報
【発明の概要】
【発明が解決しようとする課題】
【０００５】
しかしながら、上記のようなファクシミリ装置では、ファクシミリ受信される画像データを記憶部に蓄積する必要があるので、大容量の記憶部が必要になる。さらに、記憶部に蓄積された画像データは自動的に印刷されないので、ユーザーは、記憶部に蓄積されている複数の画像データの中から所望の画像データを探し出して印刷指示を行う必要がある。
【０００６】
本発明の目的は、大容量の記憶部を必要とせず、ファクシミリ受信される画像データを所望の部数分、簡単に印刷することが可能なファクシミリ装置及びファクシミリ制御方法を提供することにある。
【課題を解決するための手段】
【０００７】
本発明の一の局面に係るファクシミリ装置は、印刷部数設定部と、受信制御部と、印刷制御部と、を備える。前記印刷部数設定部は、ユーザーの受信指示操作に応じて開始される手動ファクシミリ受信のときの印刷部数を、ユーザー入力に基づいて設定する。前記受信制御部は、前記受信指示操作に応じて前記手動ファクシミリ受信を開始して、相手装置から画像データを受信する。前記印刷制御部は、前記手動ファクシミリ受信に連動して、前記印刷部数設定部によって設定される印刷部数分、前記画像データを印刷する。
【０００８】
本発明の他の局面に係るファクシミリ制御方法は、印刷部数設定ステップと、受信制御ステップと、印刷制御ステップと、を備える。前記印刷部数設定ステップでは、ユーザーの受信指示操作に応じて開始される手動ファクシミリ受信のときの印刷部数が、ユーザー入力に基づいて設定される。前記受信制御ステップでは、前記受信指示操作に応じて前記手動ファクシミリ受信が開始されて、相手装置から画像データが受信される。前記印刷制御ステップでは、前記手動ファクシミリ受信に連動して、前記印刷部数設定ステップで設定される印刷部数分、前記画像データが印刷される。
【発明の効果】
【０００９】
本発明によれば、大容量の記憶部を必要とせず、ファクシミリ受信される画像データを所望の部数分、簡単に印刷することが可能なファクシミリ装置及びファクシミリ制御方法が提供される。
【図面の簡単な説明】
【００１０】
【図１】本発明の実施形態に係るファクシミリ装置の概略構成を示すブロック図。
【図２】本発明の実施形態に係るファクシミリ装置で実行される受信処理の手順の一例を示すフローチャート。
【図３】本発明の実施形態に係るファクシミリ装置で実行されるポーリング受信処理の手順の一例を示すフローチャート。
【図４】本発明の実施形態に係るファクシミリ装置で使用される印刷部数設定画面の一例を示す図。
【図５】本発明の実施形態に係るファクシミリ装置で使用される印刷部数情報の一例を示す図。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
まず、図１を参照しつつ、本発明の実施形態に係るファクシミリ装置１０の概略構成について説明する。ファクシミリ装置１０は、通信網１００を介してファクシミリ装置９０などの相手装置と通信可能に接続される。ファクシミリ装置１０及びファクシミリ装置９０は、通信網１００を介してファクシミリ通信を実行するＦＡＸ機能を有するファクシミリ装置である。特に、ファクシミリ装置１０は、コピー機能、プリント機能及びスキャン機能などの他の機能を有する複合機である。ファクシミリ通信において、ファクシミリ装置１０及びファクシミリ装置９０は、ＩＴＵ−Ｔ（国際電気通信連合の電気通信標準化部門）勧告のＴ．３０規格に準拠した通信プロトコルで使用される制御信号をアナログデータで表したモデム信号を送受信する。
【００１３】
通信網１００は、公衆交換電話網、インターネット、ＬＡＮ、又はイントラネットなどである。即ち、ファクシミリ装置１０及びファクシミリ装置９０は、インターネット等のパケット網を介してファクシミリ通信を実行するＩＡＦ（Internet Aware FAX）であってもよい。この場合、ファクシミリ装置１０及びファクシミリ装置９０は、ファクシミリ通信において、ＩＴＵ−Ｔ勧告のＴ．３８規格に準拠した通信プロトコルで使用される制御信号をデジタルデータで表したパケット信号を送受信する。また、ファクシミリ装置１０及びファクシミリ装置９０が、ゲートウェイを経由することによりインターネット等のパケット網を介してファクシミリ通信を行うことも考えられる。
【００１４】
ファクシミリ装置１０は、通信Ｉ／Ｆ１１、操作表示部１２、画像読取部１３、画像形成部１４、記憶部１５及び制御部１６などを備える。これらの構成要素各々は内部バスによって接続されている。
【００１５】
通信Ｉ／Ｆ１１は、ファクシミリ装置１０を有線又は無線で通信網１００に接続し、通信網１００を介してファクシミリ装置９０等の相手装置との間でデータ通信を実行する通信インターフェースである。例えば、通信Ｉ／Ｆ１１は、通信網１００を介して送受信されるデータの符号化及び復号化を実行する通信モデム又はネットワーク通信カードなどを有する。
【００１６】
操作表示部１２は、制御部１６からの制御指示に応じて各種の情報を表示する液晶ディスプレイなどの表示部、及びユーザー操作を受け付けて操作信号を制御部１６に入力する操作部を有する。例えば、前記操作部は、前記表示部の表示面の上面又は下面に設けられ、前記表示部の表示面に対するユーザーのタッチ操作を検知するタッチパネルである。
【００１７】
画像読取部１３は、原稿台に載置された原稿又はＡＤＦ（自動原稿搬送装置）により搬送される原稿に光を照射し、その原稿からの反射光をＣＣＤ等の撮像素子（光電変換素子）によって画像データとして読み取る画像読取手段である。画像読取部１３で読み取られた画像データは、記憶部１５に記憶される。そして、画像読取部１３で読み取られた画像データは、制御部１６によって実行されるファクシミリ通信によって外部に送信される。なお、記憶部１５には、制御部１６によって実行されるファクシミリ通信によって受信された画像データも記憶される。
【００１８】
画像形成部１４は、感光体ドラム、帯電装置、露光装置、現像装置、転写装置及び定着装置などを備えた電子写真方式の画像形成手段である。例えば、画像形成部１４は、制御部１６によって実行されるファクシミリ通信によって受信した画像データに基づいて画像を紙などのシートに形成する画像形成処理を実行する。
【００１９】
記憶部１５は、ＥＥＰＲＯＭ（登録商標）などの不揮発性の記憶部である。記憶部１５には、制御部１６によって実行される各種の制御プログラム、画像データなどが記憶される。
【００２０】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２１】
具体的に、制御部１６は、印刷部数設定部１７、受信制御部１８、印刷制御部１９及び音声通話部２０などの処理部を含む。なお、制御部１６は、前記制御プログラムに従って各種の処理を実行することにより各処理部として機能する。また、制御部１６は、各処理部の一部又は複数の処理機能を実現する電子回路を備えるものであってもよい。
【００２２】
印刷部数設定部１７は、ユーザーの受信指示操作に応じて開始される手動ファクシミリ受信のときの印刷部数を、ユーザー入力に基づいて設定する。例えば、印刷部数設定部１７は、前記受信指示操作が行われるときに、ユーザー入力に基づいて印刷部数を設定する。前記受信指示操作は、例えば、相手装置との音声通話中に、後述する手動受信ボタンをタッチしてから受信開始ボタン３３（図４参照）をタッチするまでの一連のユーザー操作である。または、前記受信指示操作は、例えば、後述するポーリング受信ボタンをタッチしてから受信開始ボタン３３（図４参照）をタッチするまでの一連のユーザー操作である。
【００２３】
受信制御部１８は、前記受信指示操作に応じて前記手動ファクシミリ受信を開始して、前記相手装置から画像データを受信する。例えば、受信制御部１８は、前記相手装置との音声通話中に行われる前記受信指示操作に応じて、当該相手装置からの前記手動ファクシミリ受信を開始する。また、受信制御部１８は、前記受信指示操作に応じて前記相手装置に対して接続要求を行って、当該相手装置からの前記手動ファクシミリ受信を開始する。
【００２４】
なお、受信制御部１８は、前記手動ファクシミリ受信処理と、前記相手装置からの接続要求に応じて自動的に開始される自動ファクシミリ受信とを実行可能である。印刷部数設定部１７は、前記自動ファクシミリ受信時の印刷部数とは無関係に、前記手動ファクシミリ受信時の印刷部数を設定することができる。例えば、前記自動ファクシミリ受信時の印刷部数が１に設定されている場合に、印刷部数設定部１７は、前記自動ファクシミリ受信時の印刷部数を変更することなく、前記手動ファクシミリ受信時の印刷部数をユーザー入力に基づいて設定することができる。
【００２５】
印刷制御部１９は、前記手動ファクシミリ受信に連動して、印刷部数設定部１７によって設定される印刷部数分、前記画像データを印刷する。具体的には、前記手動ファクシミリ受信によって前記相手装置から受信される画像データは記憶部１５又は前記ＲＡＭ等に一時的に記憶され、印刷制御部１９は、印刷部数設定部１７によって設定される印刷部数分、当該画像データに基づいてシートに画像を印刷する。そして、前記印刷部数分の印刷処理が完了すると、前記画像データは記憶部１５等から消去される。
【００２６】
音声通話部２０は、前記相手装置との音声通話を行う。当該音声通話は、ファクシミリ装置１０に搭載されている受話器、もしくはファクシミリ装置１０に接続されている電話機の受話器などを用いて行われる。
【００２７】
ところで、通常、ファクシミリ装置では、相手装置からファクシミリ受信した画像データは記憶部に一時的に記憶され、当該画像データに基づいて印刷処理が実行された後に削除される。したがって、前記画像データを印刷したシートが２部以上必要である場合には、ユーザーは、ファクシミリ装置の複写機能もしくは複写機を使用して、出力されたシートを複写する必要がある。このような作業はユーザーにとって面倒であり、また、印刷品質も低下する。なお、ファクシミリ受信される画像データが自動的に印刷されることなく記憶部に蓄積され、その後、必要に応じてユーザーが当該画像データを削除したり印刷したりすることのできるファクシミリ装置も存在する。しかしながら、このようなファクシミリ装置では、ファクシミリ受信される画像データを記憶部に蓄積する必要があるので、大容量の記憶部が必要になる。さらに、記憶部に蓄積された画像データは自動的に印刷されないので、ユーザーは、記憶部に蓄積されている複数の画像データの中から所望の画像データを探し出して印刷指示を行う必要がある。
【００２８】
これに対して、本実施形態に係るファクシミリ装置１０では、前記受信ファクシミリ受信に連動して、印刷部数設定部１７によって設定される印刷部数分、前記画像データが印刷される。したがって、本実施形態に係るファクシミリ装置１０では、大容量の記憶部を必要とせず、ファクシミリ受信される画像データを所望の部数分、簡単に印刷することが可能である。
【００２９】
前述したように、制御部１６は、前記手動ファクシミリ受信と、前記自動ファクシミリ受信とを実行可能である。前記手動ファクシミリ受信には、例えば、前記相手装置との音声通話中に行われる前記受信指示操作に応じて、当該相手装置からのファクシミリ受信を開始する「手動受信」と、前記受信指示操作に応じて前記相手装置に対して接続要求を行って、当該相手装置からのファクシミリ受信を開始する「ポーリング受信」が含まれる。以下、「手動受信」と「ポーリング受信」のそれぞれについて詳しく説明する。
【００３０】
［手動受信］
まず、図２を参照しつつ、制御部１６によって実行される受信処理の手順の一例について説明する。ここで、ステップＳ１、Ｓ２・・・は、制御部１６により実行される処理手順（ステップ）の番号を表している。なお、前記受信処理は、例えば、前記相手装置からの着信があったことに応じて開始される。
【００３１】
＜ステップＳ１＞
ステップＳ１において、制御部１６は、ファクシミリ装置１０の動作モードが、ユーザー操作に応じてファクシミリ受信を開始する手動受信モードに設定されているか否かを判断する。そして、ファクシミリ装置１０の動作モードが手動受信モードに設定されていると判断されると（Ｓ１：Ｙｅｓ）、処理がステップＳ２に移行する。一方、ファクシミリ装置１０の動作モードが手動受信モードに設定されていない、すなわち、前記相手装置からの着信に応じてファクシミリ受信を自動的に開始する自動受信モードに設定されていると判断されると（Ｓ１：Ｎｏ）、処理がステップＳ１０に移行する。
【００３２】
＜ステップＳ２＞
ステップＳ２において、制御部１６は、前記着信に対して音声通話を開始するか否かを判断する。例えば、制御部１６は、ユーザーが受話器を取ることによりオフフックが検出された場合に、前記着信に対する音声通話を開始すると判断する。そして、前記着信に対する音声通話を開始すると判断されると（Ｓ２：Ｙｅｓ）、処理がステップＳ３に移行する。一方、前記着信に対する音声通話を開始しないと判断されると（Ｓ２：Ｎｏ）、処理がステップＳ４に移行する。
【００３３】
＜ステップＳ３＞
ステップＳ３において、制御部１６は、前記相手装置との音声通話を開始する。
【００３４】
＜ステップＳ４＞
ステップＳ４において、制御部１６は、手動受信指示が入力されたか否かを判断する。前記手動受信指示は、例えば、操作表示部１２に表示されている手動受信ボタンをユーザーがタッチすることによって入力される。そして、前記手動受信指示が入力されたと判断されると（Ｓ４：Ｙｅｓ）、処理がステップＳ５に移行する。一方、前記手動受信指示が入力されていないと判断されると（Ｓ４：Ｎｏ）、処理がステップＳ２に戻る。
【００３５】
＜ステップＳ５＞
ステップＳ５において、制御部１６は、印刷部数を設定する。具体的には、制御部１６は、例えば、操作表示部１２に図４に示すような印刷部数設定画面３０を表示して、ユーザーに印刷部数を指定させる。印刷部数設定画面３０には、印刷部数を増加又は減少させるための印刷部数変更ボタン３１、印刷部数を表示するための印刷部数表示欄３２、ファクシミリ受信を開始するための受信開始ボタン３３、手動ファクシミリ受信をキャンセルするためのキャンセルボタン３４が表示される。印刷部数表示欄３２には、例えば、初期値として「１」が表示される。ユーザーは、印刷部数変更ボタン３１を操作することによって、印刷部数を所望の値に変更することができる。
【００３６】
＜ステップＳ６＞
ステップＳ６において、制御部１６は、受信開始指示が入力されたか否かを判断する。前記受信開始指示は、例えば、印刷部数設定画面３０における受信開始ボタン３３がユーザーによってタッチされることによって入力される。前記受信開始指示が入力されたと判断されると（Ｓ６：Ｙｅｓ）、処理がステップＳ７に移行する。一方、前記受信開始指示が入力されていない、すなわち印刷部数設定画面３０におけるキャンセルボタン３４がユーザーによってタッチされたと判断されると（Ｓ６：Ｎｏ）、処理がステップＳ２に戻る。
【００３７】
＜ステップＳ７＞
ステップＳ７において、制御部１６は、前記通信相手からの前記手動ファクシミリ受信を開始する。当該手動ファクシミリ受信によって前記通信相手から受信される画像データは、記憶部１５等に一時的に記憶される。
【００３８】
＜ステップＳ８＞
ステップＳ８において、制御部１６は、前記手動ファクシミリ受信によって前記通信相手から受信される画像データに基づいて、ステップＳ５において設定された印刷部数分、印刷処理を実行する。例えば、ステップＳ５において設定された印刷部数が２０部である場合には、前記通信相手から受信される画像データが２０部印刷される。
【００３９】
＜ステップＳ９＞
ステップＳ９において、制御部１６は、印刷処理が終了したか否かを判断する。そして、印刷処理が終了したと判断されると（Ｓ９：Ｙｅｓ）、前記受信処理は終了する。このとき、記憶部１５等に一時的に記憶されていた前記画像データは必要に応じて消去される。一方、印刷処理が終了していないと判断されると（Ｓ９：Ｎｏ）、印刷処理が終了するまでステップＳ８の処理が繰り返される。なお、通信エラーなどによって前記相手装置から前記画像データが途中までしか受信されない場合には、制御部１６は、当該画像データの印刷を行わずに、操作表示部１２にエラー通知画面を表示する。そして、処理がステップＳ１に戻る。これにより、不完全な画像データが無駄に印刷されてしまうことを防止することができる。
【００４０】
＜ステップＳ１０＞
ステップＳ１０において、制御部１６は、前記自動ファクシミリ受信を実行する。前記自動ファクシミリ受信は、前記相手装置からの着信に応じてファクシミリ受信を自動的に開始して、当該相手装置から受信される画像データを自動的に印刷する処理である。前記自動ファクシミリ受信時の印刷部数は、例えば１部である。ステップＳ１０の処理が終了すると、前記受信処理は終了する。
【００４１】
なお、前記ステップＳ３において音声通話が開始された後、前記手動受信指示が入力される前に当該音声通話が終了した場合にも、前記受信処理は終了する。例えば、制御部１６は、前記ステップＳ３において音声通話が開始された後、前記手動受信指示が入力される前にユーザーによって受話器が置かれてオンフックを検出した場合に、前記相手装置との音声通話が終了したと判断する。また、前記相手装置との音声通話が開始される前に前記相手装置からの着信（接続要求）が途絶えた場合にも、前記受信処理は終了する。
【００４２】
なお、前記ステップＳ４、Ｓ６、Ｓ７の処理（受信制御ステップ）は、制御部１６の受信制御部１８によって実行される。前記ステップＳ５の処理（印刷部数設定ステップ）は、制御部１６の印刷部数設定部１７によって実行される。前記ステップＳ８、Ｓ９の処理（印刷制御ステップ）は、制御部１６の印刷制御部１９によって実行される。前記ステップＳ３の処理（音声通話ステップ）は、制御部１６の音声通話部２０によって実行される。
【００４３】
なお、図２に示すフローチャートでは、前記相手装置からの着信に応じて前記音声通話が開始されているが、前記相手装置への発信に応じて前記音声通話が開始される場合にも同様に、前記ステップＳ４〜Ｓ９の処理が行われる。
【００４４】
以上のように、前記手動受信処理によれば、ファクシミリ装置１０のユーザーは、前記相手装置のユーザー（以下、相手ユーザーと称す）と会話することによって、ファクシミリ受信される画像データの内容を事前に確認してから、所望の印刷部数を指定することができる。よって、例えば、手動受信によってファクシミリ受信される画像データを印刷したシートを２０人に配布したい場合に、前記相手装置から２０回の手動受信を行ったり、前記相手装置から手動受信した画像データを印刷したシート（１部）から残り１９部のコピーを作成したりする手間が不要である。
【００４５】
［ポーリング受信］
次に、図３を参照しつつ、制御部１６によって実行されるポーリング受信処理の手順の一例について説明する。なお、前記ポーリング受信処理は、例えば、ファクシミリ装置１０の電源スイッチがオンされたことに応じて開始され、電源スイッチがオフされたことに応じて終了される。なお、ポーリング受信とは、送信側のファクシミリ装置においてポーリング送信用の画像データが用意されている場合に、受信側のファクシミリ装置が、任意のタイミングで前記送信側のファクシミリ装置に接続要求を行って前記画像データをファクシミリ受信できる機能である。
【００４６】
＜ステップＳ２１＞
ステップＳ２１において、制御部１６は、ポーリング受信指示が入力されたか否かを判断する。前記ポーリング受信指示は、例えば、操作表示部１２に表示されているポーリング受信ボタンをユーザーがタッチすることによって入力される。そして、前記ポーリング受信指示が入力されたと判断されると（Ｓ２１：Ｙｅｓ）、処理がステップＳ２２に移行する。一方、前記ポーリング受信指示が入力されていないと判断されると（Ｓ２１：Ｎｏ）、前記ポーリング受信指示が入力されるまでステップＳ２１の処理が繰り返される。
【００４７】
＜ステップＳ２２＞
ステップＳ２２において、制御部１６は、前記ポーリング受信における送信元となる相手装置を決定する。具体的には、制御部１６は、例えば、相手装置の識別情報（電話番号、ファクシミリ番号、ＩＰアドレス、メールアドレスなど）をユーザーに入力させる。もしくは、制御部１６は、ファクシミリ装置１０にすでに登録されている相手装置の中から所望の相手装置をユーザーに選択させてもよい。
【００４８】
＜ステップＳ２３＞
ステップＳ２３において、制御部１６は、印刷部数を設定する。具体的には、制御部１６は、例えば、操作表示部１２に図４に示すような印刷部数設定画面３０を表示して、ユーザーに印刷部数を指定させる。印刷部数表示欄３２には、例えば、初期値として「１」が表示される。ユーザーは、印刷部数変更ボタン３１を操作することによって、印刷部数を所望の値に変更することができる。
【００４９】
＜ステップＳ２４＞
ステップＳ２４において、制御部１６は、受信開始指示が入力されたか否かを判断する。前記受信開始指示は、例えば、印刷部数設定画面３０における受信開始ボタン３３がユーザーによってタッチされることによって入力される。前記受信開始指示が入力されたと判断されると（Ｓ２４：Ｙｅｓ）、処理がステップＳ２５に移行する。一方、前記受信開始指示が入力されていない、すなわち印刷部数設定画面３０におけるキャンセルボタン３４がユーザーによってタッチされたと判断されると（Ｓ２４：Ｎｏ）、処理がステップＳ２１に戻る。
【００５０】
＜ステップＳ２５＞
ステップＳ２５において、制御部１６は、ステップＳ２２において決定された相手装置に対して接続要求を送信する。
【００５１】
＜ステップＳ２６＞
ステップＳ２６において、制御部１６は、前記相手装置からの前記ポーリング受信が可能か否かを判断する。そして、前記相手装置からの前記ポーリング受信が可能であると判断されると（Ｓ２６：Ｙｅｓ）、処理がステップＳ２７に移行する。一方、前記相手装置からの前記ポーリング受信が可能ではないと判断されると（Ｓ２６：Ｎｏ）、処理がステップＳ２１に戻る。例えば、前記接続要求に対して前記相手装置からの応答が無い場合、前記相手装置がポーリング送信に対応していない場合、または前記相手装置においてポーリング送信用の画像データが用意されていない場合などに、前記相手装置からの前記ポーリング受信が可能ではないと判断される。
【００５２】
＜ステップＳ２７＞
ステップＳ２７において、制御部１６は、前記通信相手からの前記手動ファクシミリ受信（前記ポーリング受信）を開始する。当該手動ファクシミリ受信によって前記通信相手から受信される画像データは、記憶部１５等に一時的に記憶される。
【００５３】
＜ステップＳ２８＞
ステップＳ２８において、制御部１６は、前記手動ファクシミリ受信によって前記通信相手から受信される画像データに基づいて、ステップＳ２３において設定された印刷部数分、印刷処理を実行する。例えば、ステップＳ２３において設定された印刷部数が２０部である場合には、前記通信相手から受信される画像データが２０部印刷される。
【００５４】
＜ステップＳ２９＞
ステップＳ２９において、制御部１６は、印刷処理が終了したか否かを判断する。そして、印刷処理が終了したと判断されると（Ｓ２９：Ｙｅｓ）、処理がステップＳ２１に戻る。このとき、記憶部１５等に一時的に記憶されていた前記画像データは必要に応じて消去される。一方、印刷処理が終了していないと判断されると（Ｓ２９：Ｎｏ）、印刷処理が終了するまでステップＳ２８の処理が繰り返される。なお、通信エラーなどによって前記相手装置から前記画像データが途中までしか受信されない場合には、制御部１６は、当該画像データの印刷を行わずに、操作表示部１２にエラー通知画面を表示する。そして、処理がステップＳ２１に戻る。これにより、不完全な画像データが無駄に印刷されてしまうことを防止することができる。
【００５５】
なお、前記ステップＳ２１、Ｓ２２、Ｓ２４〜Ｓ２７の処理（受信制御ステップ）は、制御部１６の受信制御部１８によって実行される。前記ステップＳ２３の処理（印刷部数設定ステップ）は、制御部１６の印刷部数設定部１７によって実行される。前記ステップＳ２８、Ｓ２９の処理（印刷制御ステップ）は、制御部１６の印刷制御部１９によって実行される。
【００５６】
以上のように、前記ポーリング受信処理によれば、ファクシミリ装置１０のユーザーは、ポーリング受信しようとする画像データの内容に応じて、所望の印刷部数を指定することができる。よって、例えば、ポーリング受信によってファクシミリ受信される画像データを印刷したシートを２０人に配布したい場合に、前記相手装置から２０回のポーリング受信を行ったり、前記相手装置からポーリング受信した画像データを印刷したシート（１部）から残り１９部のコピーを作成したりする手間が不要である。
【００５７】
なお、本実施形態では、前記受信指示操作が行われるときに、ユーザー入力に基づいて印刷部数が設定される例について説明したが、本発明はこれに限定されない。例えば、印刷部数設定部１７が、前記手動ファクシミリ受信のときの印刷部数を、任意のタイミングでユーザー入力に基づいて設定してもよい。さらに、この場合には、印刷部数設定部１７によって設定される印刷部数が、記憶部１５等の印刷部数記憶部において、例えば図５に示す印刷部数情報４０として、相手装置毎に個別に記憶されてもよい。そして、印刷制御部１９は、前記相手装置からの前記手動ファクシミリ受信に連動して、前記印刷部数記憶部に印刷部数情報４０として記憶されている当該相手装置に対応する印刷部数分、前記画像データを印刷してもよい。これにより、例えば、特定の相手装置から画像データを定期的にポーリング受信して、当該画像データを印刷したシートを毎回所定の人数に配布したい場合に、印刷部数を毎回設定する手間が省ける。
【００５８】
また、本実施形態では、印刷部数設定画面３０の印刷部数表示欄３２に初期値として「１」が表示される例について説明したが、本発明はこれに限定されない。例えば、印刷部数設定画面３０の印刷部数表示欄３２に、ユーザーによって事前に指定された値が初期値として表示されてもよい。また、例えば、印刷部数設定画面３０の印刷部数表示欄３２に、ユーザーによって前回指定された印刷部数の値が初期値として表示されてもよい。この場合、ユーザーによって最後に指定された印刷部数の値が、記憶部１５等において、相手装置毎に個別に記憶されてもよい。
【００５９】
また、本実施形態では、通信エラーなどによって前記相手装置から前記画像データが途中までしか受信されない場合には、当該画像データの印刷が行われない例について説明したが、本発明はこれに限定されない。例えば、印刷制御部１９は、前記画像データが途中までしか受信されない場合は、印刷部数設定部１７によって２部以上の印刷部数が設定されている場合であっても当該画像データを１部だけ印刷するようにしてもよい。これにより、ユーザーは、不完全な画像データに基づいて印刷されたシートを実際に確認して、当該シートが利用可能か否かを判断することができる。そして、もし当該シートが利用可能である場合（例えば、受信されなかった部分の情報が特に必要ではない場合など）には、必要に応じて当該シートを残りの印刷部数分だけコピーすることによって、所望の印刷部数分のシートが得られることになる。なお、もし当該シートが利用できない場合であっても、印刷部数設定部１７によって設定された印刷部数に関わらず１部しか印刷されないので、無駄な印刷を抑制することができる。
【００６０】
また、本実施形態では、前記ステップＳ２４において前記受信開始指示が入力されたと判断されると即時に、ステップＳ２５において前記相手装置に対して接続要求が送信される例について説明したが、本発明はこれに限定されない。例えば、前記ステップＳ２４において前記受信開始指示が入力された後、ユーザーが予め指定した日時になった時点で自動的に前記相手装置に対して接続要求が送信されてもよい。すなわち、本発明は、ユーザーが予約した日時に自動的に実行される手動ファクシミリ受信にも適用することができる。
【符号の説明】
【００６１】
１０  ファクシミリ装置
３０  印刷部数設定画面
３１  印刷部数変更ボタン
３２  印刷部数表示欄
３３  受信開始ボタン
３４  キャンセルボタン
４０  印刷部数情報
９０  ファクシミリ装置
１００  通信網
【図１】
2017108233.tif 000003
【図２】
2017108233.tif 000004
【図３】
2017108233.tif 000005
【図４】
2017108233.tif 000006
【図５】
2017108233.tif 000007